(57)【特許請求の範囲】
【請求項１】
表示画面を備え、エレベーターのカゴ内で広告を表示する広告表示装置であって、
前記エレベーターの乗員に対する特典を含む広告に関する広告情報を無線通信により受信する受信部と、
前記受信部によって受信された広告情報を記憶する記憶部と、
前記記憶部によって記憶された広告情報に基づいて、前記特典に関する特典情報を含む広告を表示画面に表示する表示制御部と、
を備え、
前記特典情報には、前記広告を表示したエレベーターの乗員であることを特定する情報であって、当該乗員が視認して伝達可能な状態で前記表示画面に表示される情報が含まれていることを特徴とする広告表示装置。
【請求項２】
前記特典情報には、前記特典の提供を受ける条件に関する情報が含まれていることを特徴とする請求項１に記載の広告表示装置。
【請求項３】
前記特典情報には、当該特典情報を含む広告を表示するまたは表示した日時に関する情報が含まれていることを特徴とする請求項１または２に記載の広告表示装置。
【請求項４】
前記特典情報は、携帯端末装置が取得可能な情報であることを特徴とする請求項１〜３のいずれか一つに記載の広告表示装置。
【請求項５】
前記特典情報は、２次元コードにより表示される情報であることを特徴とする請求項４に記載の広告表示装置。
【請求項６】
前記特典情報は、無線電波により出力される信号であることを特徴とする請求項４に記載の広告表示装置。
【請求項７】
前記特典情報を、前記乗員のＩＣカードまたは携帯端末装置に書き込む書込部を備えたことを特徴とする請求項１〜３のいずれか一つに記載の広告表示装置。
【請求項８】
前記特典情報は、クーポンであることを特徴とする請求項１〜７のいずれか一つに記載の広告表示装置。
【請求項９】
自装置は、前記エレベーターのカゴ内の壁面にネジ止めにより取り付けられることを特徴とする請求項１〜８のいずれか一つに記載の広告表示装置。
【発明の詳細な説明】
【技術分野】
【０００１】
この発明は、エレベーターのカゴ内で広告を表示する広告表示装置に関する。
【背景技術】
【０００２】
従来から、マンションやオフィスビルのポストに投函されるチラシ（いわゆる「ポスティング・チラシ」）により、店舗や企業の広告を展開するという手法が、首都圏を中心として多く見られる。【０００３】
ポスティング・チラシは、その配布者が、あらかじめ定められたエリアのマンションやオフィスビルのエントランス付近に設けられた居住者やテナントの各郵便ポストに対して、様々なサイズの紙に印刷されたチラシを、原則として無許可で投函している。【０００４】
関連する技術として、たとえば、集合住宅へのチラシの配布がセキュリティ上の問題に鑑みて、集合住宅の住人に対する効率的な広告を実現する技術がある（たとえば、下記特許文献１を参照。）。また、関連する技術として、たとえば、エレベーターのカゴ内に備えられた表示器に広告画像を順次表示する技術がある（たとえば、下記特許文献２を参照。）。また、関連する技術として、たとえば、マンションの共用部に表示装置を設置して入居者に情報提示するシステムに関する技術がある（たとえば、下記特許文献３を参照。）。
【先行技術文献】
【特許文献】
【０００５】
【特許文献１】特開２０１８−５５５０８号公報
【特許文献２】特開２００８−１３３０９７号公報
【特許文献３】特開２００９−１４６０７７号公報
【発明の概要】
【発明が解決しようとする課題】
【０００６】
しかしながら、ポスティング・チラシは、その量の多さから、居住者やテナントにとって、有用な情報もある一方、無用な情報も数多く存在するため、各利用者は、自身にとっての有用な情報を効率よく峻別することはできない。したがって、ポスティング・チラシは、広告効果として十分な機能を果たしていないのが実情である。【０００７】
また、ポスティング・チラシの多くは無用な情報であり、ゴミとして扱われる。これらのゴミとして扱われた大量のポスティング・チラシは、紙資源の無駄使いであり、環境的にも好ましくないばかりでなく、そのゴミを処分する作業労力の負荷がかかる。また、チラシが無造作にポストに押し込められたりして、郵便物を取り出すのが困難となる場合がある。さらに、ポストからあふれたチラシが散乱したりして、ポスト付近の環境美化を著しく害する場合がある。このように、ポスティング・チラシの配布による弊害は、社会問題にもなっている。【０００８】
この発明は、上述した従来技術による問題点を解消するため、ポスティング・チラシに代わる有用な広告メディアを効率よく利用者に提供することを目的とする。
【課題を解決するための手段】
【０００９】
上述した課題を解決し、目的を達成するため、この発明にかかる広告表示装置は、表示画面を備え、エレベーターのカゴ内で広告を表示する広告表示装置であって、前記エレベーターの乗員に対する特典を含む広告に関する広告情報を受信する受信部と、前記受信部によって受信された広告情報に基づいて、前記特典に関する特典情報を含む広告を表示画面に表示する表示制御部と、を備え、前記特典情報には、前記広告を表示したエレベーター、当該エレベーターが設置された建物および当該建物が存在する地域の少なくともいずれか一つを特定する情報が含まれていることを特徴とする。【００１０】
また、この発明にかかる広告表示装置は、上記の発明において、前記特典情報に、前記特典の提供を受ける条件に関する情報が含まれていることを特徴とする。【００１１】
また、この発明にかかる広告表示装置は、上記の発明において、前記特典情報に、当該特典情報を含む広告を表示するまたは表示した日時に関する情報が含まれていることを特徴とする。【００１２】
また、この発明にかかる広告表示装置は、上記の発明において、前記特典情報が、携帯端末装置が取得可能な情報であることを特徴とする。【００１３】
また、この発明にかかる広告表示装置は、上記の発明において、前記特典情報が、２次元コードにより表示される情報であることを特徴とする。【００１４】
また、この発明にかかる広告表示装置は、上記の発明において、前記特典情報が、無線電波により出力される信号であることを特徴とする。【００１５】
また、この発明にかかる広告表示装置は、上記の発明において、前記特典情報を、前記乗員のＩＣカードまたは携帯端末装置に書き込む書込部を備えたことを特徴とする。【００１６】
また、この発明にかかる広告表示装置は、上記の発明において、前記特典情報が、クーポンであることを特徴とする。
【発明の効果】
【００１７】
この発明にかかる広告表示装置によれば、エレベーターのカゴ内で、特典情報を含む広告を表示することによって、ポスティング・チラシに代わる有用な広告メディアを効率よく利用者に提供することができるという効果を奏する。
【図面の簡単な説明】
【００１８】
【図１】この発明にかかる実施の形態の広告表示装置の設置の一例を示す説明図である。
【図２】この発明にかかる実施の形態の広告表示装置の表示画面の一例を示す説明図である。
【図３】この発明にかかる実施の形態の広告表示装置のハードウエア構成の一例を示すブロック図である。
【図４】この発明にかかる実施の形態の広告表示装置の機能的構成の一例を示すブロック図である。
【図５】特典情報を含む広告の表示内容の一例を示す説明図（その１）である。
【図６】特典情報を含む広告の表示内容の一例を示す説明図（その２）である。
【図７】乗客が取得したクーポンの内容の一例を示す説明図である。
【図８Ａ】この発明にかかる実施の形態の広告表示装置が実行する処理の手順の一例を示すフローチャートである。
【図８Ｂ】特典情報を含む広告の表示処理の手順の一例を示すフローチャートである。
【発明を実施するための形態】
【００１９】
以下に添付図面を参照して、この発明にかかる広告表示装置の好適な実施の形態を詳細に説明する。
【００２０】
（広告表示装置の設置例）
図１は、この発明にかかる実施の形態の広告表示装置の設置の一例を示す説明図である。図１は、エレベーターのカゴ１００内の様子を示しており、図１において、エレベーターのカゴ１００内には、乗員が出入りする出入り口部分の扉１０１と、カゴに搭乗した乗員が操作する操作盤１０２と、が備えられている。
【００２１】
広告表示装置１０３は、図１に示すように、扉１０１および操作盤１０２が設けられている壁面であって天井近くに設けられている。これは、カゴ内の乗員が、扉１０１側の面を向いて立つことが一般的であることを想定している。すなわち、通常、乗員は、カゴ１００内に入った後、扉１０１側を向いて立つことが多く、広告表示装置１０３をこのような位置に設けることによって、カゴ１００内に乗っている際の乗員が、広告表示装置１０３を容易に見ることができる。
【００２２】
また、広告表示装置１０３に設けられた、後述する撮像装置（カメラ）３０３により、乗客の表情を容易に撮影することができる。また、降りる際の乗員の表情を撮影することができる。さらに、広告表示装置１０３は、天井付近に設置しているので、通常の状態で手を伸ばしても、乗員が広告表示装置１０３に容易に触れることができない。したがって、乗員により、不用意に広告表示装置１０３に触れたり、不正操作されたり、壊されたりすることを防止することができる。
【００２３】
また、図示は省略するが、扉１０１および操作盤１０２が設けられている壁面に対向する壁面（カゴ１００の奥側の壁面）に設けるようにしてもよい。このように、カゴ１００の奥側の壁面に設けることによって、広告表示装置１０３は、乗員がカゴ１００内に入ってくる際に、広告表示装置１０３を見ることができる。
【００２４】
したがって、扉１０１および操作盤１０２が設けられている壁面と、その壁面に対向する壁面（カゴ１００の奥側の壁面）とに、それぞれ、広告表示装置１０３を設けることによって、乗客が入ってくる際および乗客が降りる際に、広告表示装置１０３を見ることができる。
【００２５】
また、広告表示装置１０３は、扉１０１および操作盤１０２が設けられている壁面と同一の壁面の上側に代わって、側壁面に設けるようにしてもよい。その際にも、天井に近い上側の位置に設けるようにするとよい。
【００２６】
このように、広告表示装置１０３は、カゴ１００内の扉１０１の上端よりも上側の位置のどの位置に設置してもよい。また、広告表示装置１０３は、後付けすることができる。したがって、カゴ１００の広さ（定員数）やカゴ１００の高さ、カゴの形状（床が正方形あるいは長方形など）、エレベーターの種類（シースルー型、壁面に鏡の有り無し）、外扉の種類（窓の有り無し）などを勘案して、広告表示装置１０３を最適な位置に設置することができる。また、設置後に、自由にその設置位置を変更できるようにしてもよい。
【００２７】
その際、壁面への取り付けは、たとえば、ネジ止めによりおこなうことができる。これにより、落下を確実に防止することができる。また、ネジ止め以外の方法（たとえばマグネットを使用するなど）によって、取り付けるようにしてもよい。
【００２８】
広告表示装置１０３を後付けする場合は、広告表示装置１０３に、図示を省略するコンセントプラグを設けるようにしてもよい。また、カゴ１００には、コンセントプラグの挿入を受け付けるプラグソケット１０４（１０４ａ、１０４ｂ）が設けられている。プラグソケット１０４は、コンセントプラグが挿入されることによって当該コンセントプラグとともに配線用差込接続器を構成する。具体的には、たとえば、日本において汎用的に用いられているＡタイプのプラグソケットを用いることができる。
【００２９】
プラグソケットは、Ａタイプに限るものではない。具体的には、たとえば、インドやインドネシアなどにおいて広く用いられているＢ３タイプやＣタイプのプラグソケットを用いてもよく、香港などにおいて広く用いられているＢＦタイプのプラグソケットを用いてもよい。
【００３０】
あるいは、韓国などにおいて広く用いられているＳＥタイプのプラグソケットを用いてもよく、台湾などにおいて広く用いられているＯタイプのプラグソケットを用いてもよい。中国など、複数タイプのプラグソケットが普及している国や地域においては、Ａタイプ、Ｂタイプ、Ｃタイプ、Ｂ３タイプ、ＢＦタイプ、ＳＥタイプ、Ｏタイプなど様々なタイプの中から、エレベーターを設置する地域に応じた任意のタイプのプラグソケットを用いることが好ましい。
【００３１】
プラグソケット１０４は、カゴ上ボックスが収容する基板の電気回路に電気的に接続されている。すなわち、プラグソケット１０４は、カゴ上ボックスが収容する基板の電気回路の端子に直接結線されているものに限らず、当該端子に接続された電力線に接続されていてもよい。このような電力線にプラグソケット１０４を接続する場合、当該電力線に分岐用のコネクタを設け、当該コネクタにプラグソケット１０４を接続することができる。
【００３２】
図１に示すように、プラグソケット１０４がカゴ１００内に露出している場合、当該プラグソケット１０４は、カゴ１００内の高い位置に配置することが好ましい。図１において、プラグソケット１０４ａは、カゴ１００の側面に設けられており、また、プラグソケット１０４ｂは、天井面に設けられている。このように、カゴ１００内に露出したプラグソケット１０４をカゴ１００内の高い位置に配置することにより、雨天時に傘や衣服から飛んだ水滴が付着することを防止でき、また、盗電や子供などによる悪戯をしにくくすることができる。
【００３３】
プラグソケット１０４は、１つのカゴ１００に１つ設けられていてもよく、１つのカゴ１００に複数個設けられていてもよい。１つのカゴ１００に複数のプラグソケット１０４を設ける場合、当該複数のプラグソケット１０４を並べて配置してもよく、複数箇所に分散して配置してもよい。プラグソケット１０４は、たとえば、当該プラグソケット１０４がカゴ１００の内壁面（天井面）と同一面内に位置するように配置するとよい。
【００３４】
また、カゴ１００には、プラグソケット１０４に代わって、図示を省略する、接栓座を設けるようにしてもよい。接栓座は、図示を省略するカゴ上ボックスが収容する電気回路から供給される電源を、当該接栓座に接続された広告表示装置１０３に対して供給する機能を備えることが好ましい。具体的には、たとえば、電源供給用の配線を備えたレセクタブルを用いることによって、接栓座に接続された電気機器に対して電源を供給する機能を実現することができる。また、電源供給用の配線に加えて、信号伝送用の配線を備えていてもよい。
【００３５】
接栓座を実現するレセクタブルは、当該レセクタブルに接続されている広告表示装置１０３の動作中に抜き差しすることができるホットプラグによって実現することが好ましい。また、接栓座を実現するレセクタブルは、さらに、図示を省略する制御回路を介して広告表示装置１０３への給電をおこなうことができる。
【００３６】
接栓座１０４を実現するレセクタブルとしてのＵＳＢコネクタは、たとえば、ＵＳＢ  Ｔｙｐｅ−Ａコネクタ、Ｍｉｃｒｏ  ＵＳＢコネクタ、Ｍｉｃｒｏ  ＵＳＢ  Ｔｙｐｅ−Ｂコネクタ、ＵＳＢ  Ｔｙｐｅ−Ｃコネクタなど公知の各種のＵＳＢコネクタのレセクタブルによって実現することができる。
【００３７】
また、接栓座を実現するレセクタブルは、ＵＳＢインタフェースのコネクタ（レセクタブル）に限るものではなく、たとえば、ＩＥＥＥ  １３９４コネクタ、ＰＳ／２コネクタ、Ｄ−Ｓｕｂコネクタ、ＤＩＮコネクタ、同軸コネクタ、その他公知の各種の通信用のコネクタによって実現されるものであってもよい。
【００３８】
接栓座を実現するレセクタブルは、１つのカゴ１００に１つ設けられていてもよく、１つのカゴ１００に複数設けられていてもよい。１つのカゴ１００に複数の接栓座を実現するレセクタブルを設ける場合、通信Ｉ／Ｆのコネクタは１種類であってもよく、複数種類であってもよい。
【００３９】
接栓座を実現するレセクタブルは、たとえば、当該接栓座を実現するレセクタブルの端部がカゴ１００の内壁面と同一面内に位置するように配置することができる。
【００４０】
（広告表示装置１０３の外観）
つぎに、広告表示装置１０３の外観について説明する。図２は、この発明にかかる実施の形態の広告表示装置の外観の一例を示す説明図である。
【００４１】
図２に示すように、広告表示装置１０３は、枠体に囲まれた、横方向に長い長方形の表示画面２００を備えている。表示画面２００は、通常、防犯カメラ映像表示領域２０１、管理情報表示領域２０２、各種情報表示領域２０３、広告表示領域（広告エリア）２０４の４つの領域から構成される。このように、４つの領域に区切って表示することによって、各種情報を効率よく乗客に伝えることができる。
【００４２】
表示画面２００の左下側の長方形の広告表示領域２０４を囲むように、上側から右側にかけて、防犯カメラ映像表示領域２０１、管理情報表示領域２０２、各種情報表示領域２０３が逆「Ｌ」字状に設けられている。防犯カメラ映像表示領域２０１は、左側に設けられ、それに続いて、管理情報表示領域２０２が横長に設けられる。防犯カメラ映像表示領域２０１には、表示画面の下側に設けられた撮像装置（カメラ）３０３によって撮影された映像をリアルタイムで表示するようにしてもよい。
【００４３】
また、この管理情報表示領域２０２では、長いメッセージである場合は、右側から左側に流れるようにメッセージが表示される。管理情報表示領域２０２を表示画面の上側に設けたのは、表示画面の上側は、乗客にとっては視認しやすく、それ故に、比較的重要な管理情報を確実に乗客に伝えることができる。
【００４４】
また、右側の側面には、縦長に各種情報表示領域２０３が設けられており、図２に示すような天気予報や、交通情報、ニュースなど、エレベーターの乗員に通知したい各種情報を表示する。各種情報表示領域２０３では、多くの情報を表示する場合は、下側から上側へ流れるように表示するようにしてもよい。具体的には、たとえば、各地域の天気予報を表示する場合は、新しい地域の情報は、順次下から表示され、古い地域の情報は上側へ移動してから、消去するようにしてもよい。また、その逆に、上側から、下側へ流れるように表示してもよい。また、左右どちらかへ流れるように表示してもよい。このように、各種情報表示領域２０３では、表示する情報の内容によって、表示形態を変えることができる。
【００４５】
管理情報表示領域２０２と、各種情報表示領域２０３とでは、その境に明確な区切りはない。これは、表示する状況に応じて、管理情報表示領域２０２を右側に長くしてもよく、また、各種情報表示領域２０３を上側に長くしてもよくできるようにしている。また、表示する情報によっては、管理情報表示領域２０２と、各種情報表示領域２０３とを、一続きとして、使用することもできる。
【００４６】
このように、表示画面２００をレイアウトすることで、広告情報を表示しながら、それ以外の情報も同時に、乗員に伝えることができる。表示画面２００は、通常は、このようなレイアウトであるが、状況によっては、このレイアウトが変更される。たとえば、エレベーターの故障などの緊急事態が生じた場合は、広告エリアを消去して、必要な情報を表示するようにしてもよい。また、広告の表示演出として、表示画面２００の全面を広告表示としてもよい。なお、広告表示領域２０４の具体的な表示内容については、後述する図５および図６を用いて詳細に説明する。
【００４７】
（広告表示装置１０３のハードウエア構成）
図３は、この発明にかかる実施の形態の広告表示装置のハードウエア構成の一例を示すブロック図である。図３において、広告表示装置１０３は、ＣＰＵ３０１と、メモリ３０２と、撮像装置（カメラ）３０３と、通信インタフェース（Ｉ／Ｆ）３０４と、ディスプレイ３０５と、スピーカー３０６と、電波出力装置３０７と、リーダー／ライター３０８と、を備えている。各構成部３０１〜３０８は、バス３００によって接続されている。
【００４８】
ＣＰＵ３０１は、メモリ３０２に記憶されたプログラムを実行することによって、広告表示装置１０３の装置全体の制御をつかさどる。メモリ３０２は、ＣＰＵ３０１が実行するプログラムを記憶するとともに、広告情報を含む各種情報を記憶することができる。メモリ３０２は、ハードディスクメモリのほか、ＩＣメモリ、ＳＳＤ（Ｓｏｌｉｄ  Ｓｔａｔｅ  Ｄｒｉｖｅ）などであってもよい。
【００４９】
また、メモリ３０２は、広告表示装置１０３に対して、広告表示装置１０３に設けられたカードスロットを介して着脱可能なメモリカードであってもよい。メモリカードは、たとえば、ＳＤ（Ｓｅｃｕｒｅ  Ｄｉｇｉｔａｌ）メモリカードなどのＩＣカードによってその機能を実現することができる。メモリカードは、外付けハードディスク、ＵＳＢメモリ、ＳＳＤなどによって、その機能を実現するようにしてもよい。
【００５０】
撮像装置（カメラ）３０３は、撮像素子を備え、撮像素子がレンズを通して受光した光を電気信号に変換することによって、画像情報（撮影データ）を取得する。撮像装置３０３は、静止画を撮影するものであってもよく、動画を撮影するものであってもよい。動画は、静止画を所定時間間隔で撮影したものを連続して再生するものであってもよい。また、動画は、所定の動画・音声データの圧縮方式の標準規格（たとえば、ＭＰＥＧ（Ｍｏｖｉｎｇ  Ｐｉｃｔｕｒｅ  Ｅｘｐｅｒｔｓ  Ｇｒｏｕｐ））などであってもよい。
【００５１】
通信Ｉ／Ｆ３０４は、通信回線を通じて広告表示装置１０３とインターネットなどのネットワーク３５０とを接続するインタフェースであり、ネットワーク３５０と内部のインタフェースをつかさどり、外部装置からのデータの入力および外部装置へのデータの出力を制御する。
【００５２】
通信Ｉ／Ｆ３０４は、たとえば、Ｗｉ−Ｆｉ（登録商標）による無線インタフェースである。また、通信Ｉ／Ｆ３０４は、携帯電話回線（たとえばＬＴＥ（Ｌｏｎｇ  Ｔｅｒｍ  Ｅｖｏｌｕｔｉｏｎ）、ＰＨＳ（Ｐｅｒｓｏｎａｌ  Ｈａｎｄｙ−ｐｈｏｎｅ  Ｓｙｓｔｅｍ）などの無線通信のインタフェースであってもよく、また、モデムやＬＡＮアダプタなどの有線通信のインタフェースを採用することができる。また、エレベーターが遠隔監視などのために有しているネットワークに接続し、そのネットワークを介して、情報の送受信をおこなうようにしてもよい。
【００５３】
ディスプレイ３０５は、液晶表示器（ＬＣＤ：Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイ、７セグメントディスプレイなどによって実現される。スピーカー３０６は、音声信号である電気信号によって振動板を振動させて音を発生させる。また、スピーカー３０６は、音声信号を出力する出力端子であってもよく、当該出力端子に外部スピーカーを接続して、音を発生させるようにしてもよい。
【００５４】
電波出力装置３０７は、Ｂｌｕｅｔｏｏｔｈ（登録商標）による無線電波を出力する。また、Ｗｉ−Ｆｉ（登録商標）を用いてもよい。電波出力装置３０７は、乗客の携帯端末装置（スマートフォン）などに対して、近距離無線通信をおこなう。
【００５５】
リーダー／ライター３０８は、ＩＣカードや携帯端末装置と非接触で電波を使って更新する。具体的には、たとえば、ＲＦＩＤ（Ｒａｄｉｏ  Ｆｒｅｑｕｅｎｃｙ  Ｉｄｅｎｔｉｆｉｃａｔｉｏｎ）にシステムを用いる。リーダー／ライター３０８は、磁界（半径が１０ｃｍ程度）を発生させ、ＩＣカードなどがこの磁界を通過する際にカード内部のコイルが磁気を受けて電流を発生させる。そして、その電気を利用することでＩＣカードなどに埋め込まれたＩＣチップが起動し、リーダー・ライターと交信し、データのやり取りが可能になる。
【００５６】
その他、図示は省略するが、広告表示装置１０３は、メモリカードインタフェース（Ｉ／Ｆ）、各種センサ、入出力デバイス、電源制御部などを備えていてもよい。
【００５７】
メモリカードインタフェース（Ｉ／Ｆ）は、カードスロットを介して広告表示装置１０３と接続されるインタフェースである。メモリカードＩ／Ｆは、メモリカードと内部のインタフェースをつかさどり、メモリカードからのデータの入力およびメモリカードへのデータの出力を制御する。
【００５８】
センサは、フォトトランジスタや、フォトダイオードなどの照度センサ、音の大きさや周波数を測定することができる音センサのほか、加速度センサ、振動センサ、傾きセンサ、温度センサ、人感センサ（人の動きなどによって、人がいることを検知するセンサ）などの各種センサを含む。
【００５９】
また、センサは、ＧＰＳ受信機を含む。ＧＰＳ受信機は、３つ乃至５つのＧＰＳ衛星からの電波を受信し、ＧＰＳ衛星との幾何学的位置を求めるために、ＧＰＳ衛星からの電波を受信してＧＰＳ測位データを出力する。ＧＰＳ受信機により、広告表示装置１０３の現在位置を把握することができる。
【００６０】
入出力デバイスは、後述する切替スイッチのほか、文字、数字、各種指示などの入力のためのキーまたはボタンを含む。また、入出力デバイスは、マイク、ディスプレイ（タッチパネル）、他の情報処理装置を接続可能な接続端子などを含む。
【００６１】
電源制御部は、外部からの電源の供給を受けるコンセントプラグおよびケーブルと、供給を受けた電源の電圧を調整する、広告表示装置１０３の内部に備えられた電圧調整部とを含む。また、広告表示装置１０３は、リチウム電池などのバッテリーなどを備えていてもよい。
【００６２】
（広告表示装置１０３の機能的構成）
図４は、この発明にかかる実施の形態の広告表示装置の機能的構成の一例を示すブロック図である。図４において、広告表示装置１０３は、制御部４００と、広告情報受信部４０１と、広告情報記憶部４０２と、広告情報表示制御部４０３と、無線電波出力部４０４と、情報書込部４０５と、を含む構成となっている。
【００６３】
制御部４００は、広告表示装置１０３の全体を制御する。制御部４００は、具体的には、たとえば、図３に示したＣＰＵ３０１が、メモリ３０２などに記憶されたプログラムを実行することによって、その機能を実現することができる。
【００６４】
広告情報受信部４０１は、エレベーターの乗員に対する特典を含む広告に関する広告情報を受信する。広告情報受信部４０１は、具体的には、たとえば、図３に示した通信Ｉ／Ｆ３０４やリーダー／ライター３０８などによってその機能を実現することができる。広告情報受信部４０１は、図示を省略する、広告配信サーバあるいは広告主の情報端末装置から、ネットワーク３５０を介して、広告情報を受信することができる。また、広告情報受信部４０１は、エレベーターの乗員が備える、後述する情報端末装置７００から広告情報を受信するようにしてもよい。
【００６５】
広告情報記憶部４０２は、広告情報受信部４０１によって受信された広告情報を記憶する。広告情報記憶部４０２は、具体的には、たとえば、図３に示したメモリ３０２などによってその機能を実現することができる。広告情報記憶部４０２は、広告情報受信部４０１によって受信された広告情報をそのまま記憶してもよく、また、一旦、広告情報受信部４０１によって受信された広告情報について、制御部４００によって表示用に加工されたものを記憶するようにしてもよい。
【００６６】
広告情報表示制御部４０３は、広告情報受信部４０１によって受信され、広告情報記憶部４０２に記憶された広告情報に基づいて、特典に関する特典情報を含む広告を表示画面２００に表示する。広告情報表示制御部４０３は、具体的には、たとえば、図３に示したＣＰＵ３０１が、メモリ３０２などに記憶されたプログラムを実行することによって、その機能を実現することができる。広告情報表示制御部４０３は、広告情報記憶部４０２に記憶された広告情報を表示画面２００に表示するようにしてもよく、また、広告情報記憶部４０２に記憶された広告情報について、制御部４００によって加工された後に、表示画面２００に表示するようにしてもよい。
【００６７】
特典に関する特典情報とは、たとえば、エレベーターの乗員のみが提供を受けられ、それ以外の人は提供を受けられない利点などである。具体的には、広告主が提供する商品やサービスに対する割引や特別待遇などである。たとえば、特典情報は、商品またはサービスに対する割引クーポンであってもよい。特典に関する特典情報については、後述する図５を用いて詳細に説明する。
【００６８】
特典情報には、広告を表示したエレベーター、当該エレベーターが設置された建物（マンションやオフィスビル）および当該建物が存在する地域（住所による区分あるいは距離による区分によって特定された地域など）の少なくともいずれか一つを特定する情報が含まれていてもよい。
【００６９】
ここで、エレベーターを特定する情報は、具体的には、たとえば、住所や電話番号などであってもよく、また、エレベーター管理会社が各エレベーターを管理する際に各エレベーターにそれぞれ付与しているＩＤ番号などであってもよい。また、エレベーターが設置された建物を特定する情報は、具体的には、たとえば、当該エレベーターが設置されている建物名、住所、電話番号などであってもよく、また、エレベーター管理会社が各エレベーターを管理する際に各建物にそれぞれ付与しているＩＤ番号などであってもよい。
【００７０】
エレベーターが設置された建物が存在する地域を特定する情報は、具体的には、当該建物の住所の単位（○○町一丁目）や、当該建物の所在地の緯度経度情報から、その所在地を中心としたエリア（半径○○ｍ以内）、あるいは、当該建物の所在地から最寄りの交通機関（地下鉄駅）を中心としたエリアなどであってもよい。
【００７１】
制御部４００は、広告表示装置１０３（のメモリ３０２）が記憶する、広告表示装置１０３が備える当該エレベーターに関する情報、エレベーターが設置された建物を特定する情報、エレベーターが設置された建物が存在する地域を特定する情報の少なくともいずれか一つを取得して、特典情報に含めることができる。
【００７２】
特典情報には、特典の提供を受ける条件に関する情報が含まれていてもよい。また、特典情報には、当該特典情報を含む広告を表示するまたは表示した日時に関する情報が含まれていてもよい。制御部４００は、この特典の提供を受ける条件に関する情報または広告を表示するまたは表示した日時に関する情報を特典情報に含めるようにしてもよい。制御部４００は、広告表示装置（のＣＰＵ３０１）が備える時計から日時情報を取得して、特典情報を含む広告を表示するまたは表示した日時に関する情報を特典情報に含めることができる。
【００７３】
特典情報に、当該エレベーターに関する情報、エレベーターが設置された建物を特定する情報、エレベーターが設置された建物が存在する地域を特定する情報の少なくともいずれかに関する情報や、日時に関する情報が含まれていることによって、当該特典情報を用いて特典の提供を申し出た乗客がエレベーター内で広告を見た日時を容易に特定することができ、その後のマーケティング情報をして活用することができる。
【００７４】
また、特典情報に、特典の提供を受ける条件に関する情報が含まれていることによって、利用者（乗客）が受けられる特典の内容を正確に把握でき、より確実に、当該特典を利用することができるようになる。
【００７５】
特典情報は、携帯端末装置（たとえば、後述する携帯端末装置７００）が取得可能な情報であってもよい。具体的には、たとえば、特典情報は、２次元コードにより表示される情報であってもよい。表示画面に表示された２次元コードは、たとえば、携帯端末装置のカメラによって撮影され、携帯端末装置が備えるアプリケーションにより、その２次元コードに記録されている情報を取得することができる。
【００７６】
無線電波出力部４０４は、特典情報に関する信号を無線電波として出力する。無線電波出力部４０４は、具体的には、たとえば、図３に示した電波出力装置３０７などによって、その機能を実現することができる。このように、特典情報は、無線電波によって出力され、携帯端末装置が取得可能な情報であってもよい。より具体的には、たとえば、携帯端末装置の無線機能（Ｗｉ−ＦｉやＢｌｕｅｔｏｏｔｈ（登録商標））によって、携帯端末装置が特典情報を取得するようにしてもよい。
【００７７】
情報書込部４０５は、エレベーター乗員のＩＣカードまたは携帯端末装置に書き込む。情報書込部４０５は、具体的には、たとえば、図３に示したリーダー／ライター３０８などによってその機能を実現することができる。より具体的には、エレベーターの乗員は、ＩＣカードまたは携帯端末装置を、広告表示装置へ近づけることによって、特典情報を取得することができる。
【００７８】
このように、広告情報表示装置１０３は、特典情報を含む広告情報を表示画面２００（の広告表示領域（広告エリア）２０４）に表示することができ、また、その特典情報をエレベーターの乗客に提供することができる。
【００７９】
（特典情報の内容）
図５および図６は、特典情報を含む広告の表示内容の一例を示す説明図である。図５において、『ＴＨＡＮＫＳフェア』と題した広告（内容）５００は、一般的に、ポスティング・チラシとして、紙に印刷されて、マンションなどの住民ポストに投函されているものの一例である。この広告５００が、広告表示装置１０３の表示画面２００（の広告表示領域（広告エリア）２０４）に表示される。
【００８０】
ここで、『○○マンションの住民の皆様限定』とすることで、○○マンションのエレベーターに搭乗した乗客のみを対象とした広告であることがわかる。この広告５００において、たとえば、『皆様に笑顔をお届けする世界最大宅配ピザ・チェーン「△△ピザ・ショップ」です』や、下側の『△△ピザ・ショップ  和光店』が、広告主であるピザ屋の広告を表示している。
【００８１】
また、この広告５００において、たとえば、『金賞受賞のスペシャルピザを３９％ＯＦＦ』が特典情報を示している。また、たとえば、『○○マンションお客様番号：１２３４５６Ａ』が、広告を表示したエレベーター、当該エレベーターが設置された建物および当該建物が存在する地域の少なくともいずれか一つを特定する情報を示している。すなわち、このお客様番号「１２３４５６Ａ」と、広告を表示したエレベーター、建物および地域の少なくともいずれかに関する情報が関連付けして記憶されている。
【００８２】
また、たとえば、『本日１２月１１日１８時より２３時までに限り』や、『ご注文の際に、以下のお客様番号をお伝えください』が、特典の提供を受ける条件に関する情報を示している。また、たとえば、『本日１２月１１日』が、特典情報を含む広告を表示するまたは表示した日時に関する情報を示している。すなわち、「本日」である広告を表示した日時が「１２月１１日」であることを示している。
【００８３】
図６において、『新宿□□ビル  ＷＩＮＴＥＲ  ＥＶＥＮＴ』と題した広告（内容）６００は、一般的に、ポスティング・チラシとして、紙に印刷されて、オフィスビルなどのテナントのポストに投函されているものの一例である。この広告６００が、広告表示装置２００（の広告表示領域（広告エリア）２０４）に表示される。
【００８４】
ここで、『新宿□□ビル  ＷＩＮＴＥＲ  ＥＶＥＮＴ』、『この広告を見られた方』とすることで、新宿□□ビルのエレベーターに搭乗した乗客のみを対象とした広告であることがわかる。この広告６００において、たとえば、『毎度おなじみ、味とボリュームで勝負、レストラン○○です』『レストラン○○  新宿南口店（甲州街道沿い、△△ホテル隣り、ＪＲ新宿駅徒歩５分）』が、広告主の店舗であるレストランの広告を表示している。
【００８５】
また、この広告６００において、たとえば、『ランチタイムの全メニューを全品１０％割引し、さらに、お好みのドリンクを無料でサービスいたします』が特典情報を示している。また、たとえば、『この広告を見られた方は、右側のＱＲコード（登録商標）を読み取って、特別クーポンをゲットしてから、当店へご来店ください』が、特典の提供を受ける条件に関する情報を示している。
【００８６】
また、この広告６００において、２次元コード６０１が表示されており、この２次元コード６０１が、特典情報を示している。この２次元コード６０１は、広告を表示したエレベーター、当該エレベーターが設置された建物および当該建物が存在する地域の少なくともいずれか一つを特定する情報を示している。すなわち、この２次元コード６０１が示す情報と、広告を表示したエレベーター、建物および地域の少なくともいずれかに関する情報が関連付けして記憶されている。
【００８７】
図７は、乗客が取得したクーポンの内容の一例を示す説明図である。図７において、表示画面７０１は、エレベーターの乗客が、乗客が所有する情報端末装置（スマートフォンなど）７００のカメラなどで、２次元コード６０１を読み取ると、情報端末装置７００の表示画面７０１に表示される内容である。
【００８８】
表示画面７０１において、たとえば、『ランチタイム（１１：３０−１３：３０）の全メニュー』や、『この特別クーポンを、ご注文の際に、店員にご提示ください』や、『有効期限２０１８年１２月末日まで』が、特典の提供を受ける条件に関する情報を示している。また、表示画面７０１に、２次元コード（たとえば、バーコード）７０２を表示するようにしてもよい。
【００８９】
このように、特典情報を含む広告を広告表示装置の表示画面２００に表示することができる。特典情報には、２次元コード６０１が含まれ、２次元コード６０１の情報を取得した情報端末装置７００には、特典情報にかかるクーポンに関する情報を表示することができる。これによって、エレベーターの乗客は、チラシを取得したり、持参しなくても、特典の提供を受けることができる。
【００９０】
（広告表示装置１０３が実行する処理手順）
図８Ａは、この発明にかかる実施の形態の広告表示装置が実行する処理の手順の一例を示すフローチャートである。
【００９１】
図８Ａのフローチャートにおいて、広告表示装置１０３は、ネットワーク３５０を介して、広告情報を受信したか否かを判断する（ステップＳ８０１）。ここで、広告情報を受信するのを待って（ステップＳ８０１：Ｎｏ）、受信した場合（ステップＳ８０１：Ｙｅｓ）は、受信した広告情報を、たとえば広告情報記憶部４０２に記憶する（ステップＳ８０２）。
【００９２】
つぎに、広告開始時期になったか否かを判断する（ステップＳ８０３）。広告開始時期になったか否かの判断は、受信した広告情報に含まれる開始時期に関する情報に基づいておこなうことができる。また、他の広告情報との優先順位（この優先順位に関する情報も、広告情報に含まれていてもよい）に基づいて判断してもよい。
【００９３】
ここで、広告開始時期になるのを待って（ステップＳ８０３：Ｎｏ）、広告開始時期になった場合（ステップＳ８０３：Ｙｅｓ）は、特典情報を含む広告の表示処理をおこなう（ステップＳ８０４）。この処理については、図８Ｂのフローチャートにおいて、詳細に説明する。
【００９４】
その後、広告終了時期になったか否かを判断する（ステップＳ８０５）。広告終了時期になったか否かの判断は、受信した広告情報に含まれる終了時期に関する情報に基づいておこなうことができる。具体的には、広告終了時期は、広告開始時期より所定時間経過した時期である。この所定時間（たとえば、３０秒）なども、終了時期に関する情報として、受信した広告情報に含まれていてもよい。また、広告が動画である場合は、その動画の再生時間を所定時間としてもよい。
【００９５】
ここで、広告終了時期になるのを待って（ステップＳ８０５：Ｎｏ）、広告終了時期になった場合（ステップＳ８０５：Ｙｅｓ）は、この広告情報を消去し（ステップＳ８０６）、一連の処理を終了する。この広告情報を再度表示するか否か（その表示回数など）も、広告情報に含まれており、再度表示する場合は、その広告情報を広告情報記憶部４０２に保持する。一方、再度表示しない（表示回数分表示がおこなわれた、あるいは、表示期間が経過した）場合は、その広告情報を広告情報記憶部４０２から削除する。
【００９６】
図８Ｂは、特典情報を含む広告の表示処理の手順の一例を示すフローチャートである。特典情報を含む広告の表示処理（図８ＡのステップＳ８０４）は、以下のようにして、実行することができる。
【００９７】
図８Ｂのフローチャートにおいて、広告表示装置１０３の制御部４００は、広告情報記憶部４０２に記憶されている広告情報から、特典に関する情報や特典の提供を受ける条件に関する情報を抽出する（ステップＳ８１１）。また、制御部４００は、エレベーターに関する情報を取得する（ステップＳ８１２）。エレベーターに関する情報は、広告表示装置１０３にあらかじめ記憶されていてもよく、また、広告情報に含まれていてもよい。
【００９８】
また、制御部４００は、現在の日時情報を取得する（ステップＳ８１３）。その後、制御部４００は、抽出した情報、または、取得した情報に基づいて、２次元コードを生成する（ステップＳ８１４）とともに、生成した２次元コードを含む、広告のレイアウトをおこなう（ステップＳ８１５）。
【００９９】
ここで、制御部４００は、２次元コードを生成する代わりに、無線電波により出力する信号を生成するようにしてもよく、また、乗員のＩＣカードまたは携帯端末装置に書き込むための情報を生成してもよい。無線電波により出力する信号は、無線電波出力部４０４によって出力処理がなされる。また、乗員のＩＣカードまたは携帯端末装置に書き込むための情報は、情報書込部４０５によって書込処理がなされる。
【０１００】
その後、レイアウトされた広告を表示画面に表示し（ステップＳ８１６）、一連の処理を終了する。
【０１０１】
なお、２次元コードがない場合は、このような処理はおこなわなくてもよい。また、この２次元コードを生成する処理は、制御部４００ではなく、配信サーバがおこなってもよい。その場合は、すでに、受信した広告情報に２次元コードが含まれているため、広告表示装置において、ステップＳ８０４の表示処理は、記憶された広告情報に基づいて、その内容をそのまま表示するだけでよい。
【０１０２】
以上説明したように、この発明にかかる実施の形態の広告表示装置１０３は、表示画面２００を備え、エレベーターのカゴ１００内で広告を表示するにあたり、エレベーターの乗員に対する特典を含む広告に関する広告情報を受信する広告情報受信部４０１と、広告情報受信部４０１によって受信された広告情報に基づいて、特典に関する特典情報を含む広告を表示画面２００に表示する広告情報表示制御部４０３と、を備え、特典情報には、広告を表示したエレベーター、当該エレベーターが設置された建物および当該建物が存在する地域の少なくともいずれか一つを特定する情報が含まれていることを特徴とする。
【０１０３】
これにより、エレベーター内で、多くのポスティング・チラシに印刷されている、特典情報（たとえばクーポン）を含む広告情報を表示することができる。また、広告主が、広告効果についてより明確に把握することができる。このように、ポスティング・チラシに代わる有用な広告メディアを効率よく利用者に提供することができるという効果を奏する。
【０１０４】
また、この発明にかかる広告表示装置は、上記の発明において、特典情報に、特典の提供を受ける条件に関する情報を含めることによって、エレベーターの乗客が提供を受けられる特典の内容を正確に把握することができる。
【０１０５】
また、この発明にかかる広告表示装置は、上記の発明において、特典情報に、当該特典情報を含む広告を表示するまたは表示した日時に関する情報が含めることにより、広告主が、より明確に広告効果を把握することができる。
【０１０６】
また、この発明にかかる広告表示装置は、上記の発明において、特典情報が、携帯端末装置が取得可能な情報、たとえば、２次元コードにより表示される情報、無線電波により出力される信号であり、または、特典情報を、乗員のＩＣカードまたは携帯端末装置に書き込む情報書込部４０５を備えているので、エレベーターの乗客が容易にその特典情報にかかる特典を取得することができる。
【０１０７】
なお、本実施の形態で説明した広告表示装置１０３において実行される各種プログラムは、あらかじめ用意されたプログラムをパーソナルコンピュータやワークステーションなどのコンピュータで実行することにより実現することができる。報告表示装置１０３による広告表示プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリなどのコンピュータで読み取り可能な記録媒体に記録され、コンピュータによって記録媒体から読み出されることによって実行される。また、これらのプログラムは、インターネットなどのネットワークを介して配布してもよい。
【産業上の利用可能性】
【０１０８】
以上のように、この発明にかかる広告表示装置は、エレベーターのカゴ内で広告を表示する広告表示装置に有用であり、特に、ポスティング・チラシに代わる広告方法として有用な広告を提供する広告表示装置に適している。
【符号の説明】
【０１０９】
１００  カゴ
１０１  扉
１０２  操作盤
１０３  広告表示装置
１０４（１０４ａ、１０４ｂ）  プラグソケット
２００  表示画面
２０１  防犯カメラ映像表示領域
２０２  管理情報表示領域
２０３  各種情報表示領域
２０４  広告表示領域（広告エリア）
３００  バス
３０１  ＣＰＵ
３０２  メモリ
３０３  撮像装置
３０４  通信インタフェース（Ｉ／Ｆ）
３０５  ディスプレイ
３０６  スピーカー
３０７  電波出力装置
３０８  リーダー／ライター
３５０  ネットワーク
４００  制御部
４０１  広告情報受信部
４０２  広告情報記憶部
４０３  広告情報表示制御部
４０４  無線電波出力部
４０５  情報書込部
５００、６００  広告（内容）
６０１  ２次元コード
７００  情報端末装置
７０１  （情報端末装置の）表示画面
【要約】
エレベーターのカゴ内に表示画面を備え、エレベーターの乗員に対する特典を含む広告に関する広告情報を受信し、受信された広告情報に基づいて、特典に関する特典情報（『スペシャルピザを３９％ＯＦＦ』）を含む広告（内容）（５００）を表示画面に表示する。特典情報には、広告（５００）を表示したエレベーター、当該エレベーターが設置された建物および当該建物が存在する地域の少なくともいずれか一つを特定する情報（『○○マンションお客様番号：１２３４５６Ａ』）が含まれている。これにより、エレベーターのカゴ内で、特典情報を含む広告を表示することによって、ポスティング・チラシに代わる有用な広告メディアを効率よく利用者に提供できる。【図１】
0006744499.tif 000002
【図２】
0006744499.tif 000003
【図３】
0006744499.tif 000004
【図４】
0006744499.tif 000005
【図５】
0006744499.tif 000006
【図６】
0006744499.tif 000007
【図７】
0006744499.tif 000008
【図８Ａ】
0006744499.tif 000009
【図８Ｂ】
0006744499.tif 000010